(57)【要約】【課題】一の通信事業者との通信が切断された場合に、他の通信事業者への切り替えを容易に実現することができる通信制御機器等を提供する。【解決手段】一の通信事業者に対応するｅＳＩＭが活性状態である場合において当該一の通信事業者との通信が切断された場合に、その時点で通信の接続が可能な他の通信事業者に対して、当該他の通信事業者に対応するｅＳＩＭを活性状態とする切替コマンドの送信を要求する要求データを送信し、他の通信事業者から切替コマンドを受信した場合に、一の通信事業者に対応するｅＳＩＭについて活性状態から不活性状態に切り替えるとともに、他の通信事業者に対応するｅＳＩＭについて不活性状態から活性状態に切り替える。【選択図】図５
2020136730.tif 000002
【特許請求の範囲】
【請求項１】
無線通信装置に含まれる通信制御機器であって、
通信事業者に対応するｅＳＩＭを記憶する記憶手段と、
前記記憶手段に記憶されているｅＳＩＭについて活性状態であるか又は不活性状態であるかを管理する管理手段と、
前記活性状態であるｅＳＩＭに対応する一の前記通信事業者と前記無線通信装置との通信が切断されたことを示す切断情報を当該無線通信装置から受信したことに基づいて、当該無線通信装置に対して通信の接続が可能な通信事業者に関する接続可能情報を要求する要求手段と、
前記無線通信装置から前記一の通信事業者とは異なる他の前記通信事業者との接続が可能であることを示す接続可能情報を受信したことに基づいて、当該他の通信事業者に対応するｅＳＩＭが前記記憶手段に記憶されているかを確認する確認手段と、
前記確認手段により前記他の通信事業者のｅＳＩＭが前記記憶手段に記憶されていることが確認され、且つ、当該ｅＳＩＭが不活性状態である場合に、当該不活性状態であるｅＳＩＭを前記活性状態とする切替コマンドの送信を要求する要求データを当該他の通信事業者に対して送信するように前記無線通信装置に要請する第１要請手段と、
を備え、
前記管理手段は、前記他の通信事業者から送信された前記切替コマンドを受信した場合に、前記一の通信事業者に対応するｅＳＩＭについて前記活性状態から前記不活性状態に切り替えるとともに、前記他の通信事業者に対応するｅＳＩＭについて前記不活性状態から前記活性状態に切り替えることを特徴とする通信制御機器。
【請求項２】
請求項１に記載の通信制御機器であって、
前記確認手段により前記他の通信事業者に対応するｅＳＩＭが前記記憶手段に記憶されていないことが確認された場合、当該他の通信事業者のｅＳＩＭを前記記憶手段に記憶させる作成コマンドの送信を要求する要求データを当該他の通信事業者に対して送信するように前記無線通信装置に要請する第２要請手段と、
前記他の通信事業者から送信された前記作成コマンドを受信した場合に、当該他の通信事業者に対応するｅＳＩＭを前記記憶手段に記憶させる作成手段と、
を更に備え、
前記管理手段は、前記作成コマンドに基づいて前記他の通信事業者に対応するｅＳＩＭが前記記憶手段に記憶された場合に、当該ｅＳＩＭを不活性状態として管理し、
前記第１要請手段は、前記作成コマンドに基づいて前記記憶手段に記憶されたｅＳＩＭが不活性状態として管理された場合に、前記他の通信事業者に対応するｅＳＩＭを前記活性状態とする前記切替コマンドの送信を要求する要求データを当該他の通信事業者に対して送信するように前記無線通信装置に要請し、
前記管理手段は、前記他の通信事業者から送信された前記切替コマンドを受信した場合に、前記一の通信事業者に対応するｅＳＩＭについて前記活性状態から前記不活性状態に切り替えるとともに、前記他の通信事業者に対応するｅＳＩＭについて前記不活性状態から前記活性状態に切り替えることを特徴とする通信制御機器。
【請求項３】
請求項１又は２に記載の通信制御機器であって、
前記無線通信装置は、前記一の通信事業者と提携している前記他の通信事業者の通信設備を介して、前記要求データを送信することを特徴とする通信制御機器。
【請求項４】
請求項３に記載の通信制御機器であって、
前記無線通信装置は、前記一の通信事業者に対応するｅＳＩＭに前記他の通信事業者の通信設備の利用が許容されていることを示す許容情報が記述されている場合に、当該他の通信事業者の通信設備を介して、前記要求データを送信することを特徴とする通信制御機器。
【請求項５】
請求項１又は２に記載の通信制御機器であって、
前記無線通信装置は無線ＬＡＮのアクセスポイントを介して、前記要求データを送信することを特徴とする通信制御機器。
【請求項６】
無線通信装置に含まれ、且つ、通信事業者に対応するｅＳＩＭを記憶する記憶手段を備える通信制御機器による通信制御方法であって、
前記記憶手段に記憶されているｅＳＩＭについて活性状態であるか又は不活性状態であるかを管理する管理工程と、
前記活性状態であるｅＳＩＭに対応する一の前記通信事業者と前記無線通信装置との通信が切断されたことを示す切断情報を当該無線通信装置から受信したことに基づいて、当該無線通信装置に対して通信の接続が可能な通信事業者に関する接続可能情報を要求する要求工程と、
前記無線通信装置から前記一の通信事業者とは異なる他の前記通信事業者との接続が可能であることを示す接続可能情報を受信したことに基づいて、当該他の通信事業者に対応するｅＳＩＭが前記記憶手段に記憶されているかを確認する確認工程と、
前記確認工程により前記他の通信事業者のｅＳＩＭが前記記憶手段に記憶されていることが確認され、且つ、当該ｅＳＩＭが不活性状態である場合に、当該不活性状態であるｅＳＩＭを前記活性状態とする切替コマンドの送信を要求する要求データを当該他の通信事業者に対して送信するように前記無線通信装置に要請する第１要請工程と、
を含み、
前記管理工程では、前記他の通信事業者から送信された前記切替コマンドを受信した場合に、前記一の通信事業者に対応するｅＳＩＭについて前記活性状態から前記不活性状態に切り替えるとともに、前記他の通信事業者に対応するｅＳＩＭについて前記不活性状態から前記活性状態に切り替えることを特徴とする通信制御方法。
【請求項７】
無線通信装置に含まれ、且つ、通信事業者に対応するｅＳＩＭを記憶する記憶手段を備える通信制御機器が有するコンピュータを、
前記記憶手段に記憶されているｅＳＩＭについて活性状態であるか又は不活性状態であるかを管理する管理手段、
前記活性状態であるｅＳＩＭに対応する一の前記通信事業者と前記無線通信装置との通信が切断されたことを示す切断情報を当該無線通信装置から受信したことに基づいて、当該無線通信装置に対して通信の接続が可能な通信事業者に関する接続可能情報を要求する要求手段、
前記無線通信装置から前記一の通信事業者とは異なる他の前記通信事業者との接続が可能であることを示す接続可能情報を受信したことに基づいて、当該他の通信事業者に対応するｅＳＩＭが前記記憶手段に記憶されているかを確認する確認手段、
前記確認手段により前記他の通信事業者のｅＳＩＭが前記記憶手段に記憶されていることが確認され、且つ、当該ｅＳＩＭが不活性状態である場合に、当該不活性状態であるｅＳＩＭを前記活性状態とする切替コマンドの送信を要求する要求データを当該他の通信事業者に対して送信するように前記無線通信装置に要請する第１要請手段、
として機能させる通信制御プログラムであって、
前記管理手段は、前記他の通信事業者から送信された前記切替コマンドを受信した場合に、前記一の通信事業者に対応するｅＳＩＭについて前記活性状態から前記不活性状態に切り替えるとともに、前記他の通信事業者に対応するｅＳＩＭについて前記不活性状態から前記活性状態に切り替えることを特徴とする通信制御プログラム。
【請求項８】
無線通信装置と、当該無線通信装置に含まれる通信制御機器とを有する通信システムであって、
前記通信制御機器は、
通信事業者に対応するｅＳＩＭを記憶する記憶手段と、
前記記憶手段に記憶されているｅＳＩＭについて活性状態であるか又は不活性状態であるかを管理する管理手段を備え、
前記無線通信装置は、
前記活性状態であるｅＳＩＭに対応する一の前記通信事業者との通信が切断されたことを検知した場合に、当該一の通信事業者との通信が切断されたことを示す切断情報を前記通信制御機器に送信する切断情報送信手段を備え、
前記通信制御機器は、
前記無線通信装置から前記切断情報を受信したことに基づいて、当該無線通信装置に対して通信の接続が可能な通信事業者に関する接続可能情報を要求する要求手段を更に備え、
前記無線通信装置は、
前記要求に基づいて、通信の接続が可能な通信事業者を特定し、当該特定した通信事業者について接続が可能であることを示す接続可能情報を前記通信制御機器に送信する接続可能情報送信手段を更に備え、
前記通信制御機器は、
前記接続可能情報が前記一の通信事業者とは異なる他の前記通信事業者について通信の接続が可能であることを示している場合に、当該他の通信事業者に対応するｅＳＩＭが前記記憶手段に記憶されているかを確認する確認手段と、
前記確認手段により前記他の通信事業者のｅＳＩＭが前記記憶手段に記憶されていることが確認され、且つ、当該ｅＳＩＭが不活性状態である場合に、当該不活性状態であるｅＳＩＭを前記活性状態とする切替コマンドの送信を要求する要求データを当該他の通信事業者に対して送信するように前記無線通信装置に要請する第１要請手段を更に備え、
前記無線通信装置は、
前記他の通信事業者に対して前記要求データを送信する要求データ送信手段と、
前記他の通信事業者から前記切替コマンドを受信した場合に、当該切替コマンドを前記通信制御機器に転送する転送手段と、
を更に備え、
前記通信制御機器の前記管理手段は、前記他の通信事業者から送信された前記切替コマンドを受信した場合に、前記一の通信事業者に対応するｅＳＩＭについて前記活性状態から前記不活性状態に切り替えるとともに、前記他のｅＳＩＭについて前記不活性状態から前記活性状態に切り替えることを特徴とする通信システム。
【発明の詳細な説明】
【技術分野】
【０００１】
ｅＵＩＣＣ（Embedded Universal Integrated Circuit Card）の技術分野に関する。
【背景技術】
【０００２】
従来、スマートフォンなどの無線通信デバイスは、無線ネットワークサービスへのアクセスを提供するＵＩＣＣ（Universal Integrated Circuit Card）を利用するように構成されている。ＵＩＣＣは、ＵＩＣＣのプログラミング及び流通を行う単一の「発行元」である通信事業者（ＭＮＯ（Mobile Network Operator））と関連付けられている。
【０００３】
また、従来のＵＩＣＣは、無線通信デバイスに挿入されるＳＩＭ（Subscriber Identity Module）カードの形態をとる。そのため、無線通信デバイスにＳＩＭの挿入口を設ける必要があり、無線通信デバイスの自由なプロダクトデザインを妨げる、部品点数の増加に繋がるといった弊害があった。更に、ユーザが利用する通信事業者を切り替える場合（例えば、海外で無線通信デバイスを使用する場合）には、ＳＩＭカードを差し替える必要があった。
【０００４】
一方で、ＳＩＭの差し替えを必要としないｅＵＩＣＣ（埋め込み型ＵＩＣＣ）の開発が進んでいる。ｅＵＩＣＣは、一以上のｅＳＩＭ（Embedded SIM, electronic SIM）を管理し、ＳＩＭのアーキテクチャをエミュレートした上でｅＳＩＭを使用することにより、無線通信デバイスが無線ネットワークサービスにアクセスできるようにする。このとき、ｅＵＩＣＣは、複数のｅＳＩＭを同時に使用することはできず、使用する一のｅＳＩＭのみを活性（ＡＣＴＩＶＥ）状態として管理し、その他のｅＳＩＭを不活性（ＮＯＮ−ＡＣＴＩＶＥ）状態として管理する。したがって、利用する通信事業者を切り替える場合には、使用するｅＳＩＭの活性／不活性状態を切り替える必要がある。そうした中、特許文献１にｅＳＩＭを切り替える技術が開示されている。
【先行技術文献】
【特許文献】
【０００５】
【特許文献１】特許第５８１６２４１号公報
【発明の概要】
【発明が解決しようとする課題】
【０００６】
ところで、無線通信デバイスにおいて通信事業者を切り替える契機の一つとして、利用中の通信事業者との通信の切断が考えられる。このような場合、通信の接続が可能な通信事業者に通信の接続を切り替えることが望まれる。例えば、無線通信デバイスが通信事業者ＡのｅＳＩＭを使用して通信を行っている際に通信圏外に移動したことにより通信が切断した場合、通信圏内となる通信事業者ＢのｅＳＩＭを使用した通信に自動的（ユーザの許可を得てもよい）に切り替えることが望まれる。
【０００７】
そこで、本発明は、一の通信事業者との通信が切断された場合に、他の通信事業者への切り替えを容易に実現することができる通信制御機器等を提供することを目的とする。
【課題を解決するための手段】
【０００８】
上記課題を解決するために、請求項１に記載の発明は、無線通信装置に含まれる通信制御機器であって、通信事業者に対応するｅＳＩＭを記憶する記憶手段と、前記記憶手段に記憶されているｅＳＩＭについて活性状態であるか又は不活性状態であるかを管理する管理手段と、前記活性状態であるｅＳＩＭに対応する一の前記通信事業者と前記無線通信装置との通信が切断されたことを示す切断情報を当該無線通信装置から受信したことに基づいて、当該無線通信装置に対して通信の接続が可能な通信事業者に関する接続可能情報を要求する要求手段と、前記無線通信装置から前記一の通信事業者とは異なる他の前記通信事業者との接続が可能であることを示す接続可能情報を受信したことに基づいて、当該他の通信事業者に対応するｅＳＩＭが前記記憶手段に記憶されているかを確認する確認手段と、前記確認手段により前記他の通信事業者のｅＳＩＭが前記記憶手段に記憶されていることが確認され、且つ、当該ｅＳＩＭが不活性状態である場合に、当該不活性状態であるｅＳＩＭを前記活性状態とする切替コマンドの送信を要求する要求データを当該他の通信事業者に対して送信するように前記無線通信装置に要請する第１要請手段と、を備え、前記管理手段は、前記他の通信事業者から送信された前記切替コマンドを受信した場合に、前記一の通信事業者に対応するｅＳＩＭについて前記活性状態から前記不活性状態に切り替えるとともに、前記他の通信事業者に対応するｅＳＩＭについて前記不活性状態から前記活性状態に切り替えることを特徴とする。
【０００９】
請求項２に記載の発明は、請求項１に記載の通信制御機器であって、前記確認手段により前記他の通信事業者に対応するｅＳＩＭが前記記憶手段に記憶されていないことが確認された場合、当該他の通信事業者のｅＳＩＭを前記記憶手段に記憶させる作成コマンドの送信を要求する要求データを当該他の通信事業者に対して送信するように前記無線通信装置に要請する第２要請手段と、前記他の通信事業者から送信された前記作成コマンドを受信した場合に、当該他の通信事業者に対応するｅＳＩＭを前記記憶手段に記憶させる作成手段と、を更に備え、前記管理手段は、前記作成コマンドに基づいて前記他の通信事業者に対応するｅＳＩＭが前記記憶手段に記憶された場合に、当該ｅＳＩＭを不活性状態として管理し、前記第１要請手段は、前記作成コマンドに基づいて前記記憶手段に記憶されたｅＳＩＭが不活性状態として管理された場合に、前記他の通信事業者に対応するｅＳＩＭを前記活性状態とする前記切替コマンドの送信を要求する要求データを当該他の通信事業者に対して送信するように前記無線通信装置に要請し、前記管理手段は、前記他の通信事業者から送信された前記切替コマンドを受信した場合に、前記一の通信事業者に対応するｅＳＩＭについて前記活性状態から前記不活性状態に切り替えるとともに、前記他の通信事業者に対応するｅＳＩＭについて前記不活性状態から前記活性状態に切り替えることを特徴とする。
【００１０】
請求項３に記載の発明は、請求項１又は２に記載の通信制御機器であって、前記無線通信装置は、前記一の通信事業者と提携している前記他の通信事業者の通信設備を介して、前記要求データを送信することを特徴とする。
【００１１】
請求項４に記載の発明は、請求項３に記載の通信制御機器であって、前記無線通信装置は、前記一の通信事業者に対応するｅＳＩＭに前記他の通信事業者の通信設備の利用が許容されていることを示す許容情報が記述されている場合に、当該他の通信事業者の通信設備を介して、前記要求データを送信することを特徴とする。
【００１２】
請求項５に記載の発明は、請求項１又は２に記載の通信制御機器であって、前記無線通信装置は無線ＬＡＮのアクセスポイントを介して、前記要求データを送信することを特徴とする。
【００１３】
請求項６に記載の発明は、無線通信装置に含まれ、且つ、通信事業者に対応するｅＳＩＭを記憶する記憶手段を備える通信制御機器による通信制御方法であって、前記記憶手段に記憶されているｅＳＩＭについて活性状態であるか又は不活性状態であるかを管理する管理工程と、前記活性状態であるｅＳＩＭに対応する一の前記通信事業者と前記無線通信装置との通信が切断されたことを示す切断情報を当該無線通信装置から受信したことに基づいて、当該無線通信装置に対して通信の接続が可能な通信事業者に関する接続可能情報を要求する要求工程と、前記無線通信装置から前記一の通信事業者とは異なる他の前記通信事業者との接続が可能であることを示す接続可能情報を受信したことに基づいて、当該他の通信事業者に対応するｅＳＩＭが前記記憶手段に記憶されているかを確認する確認工程と、前記確認工程により前記他の通信事業者のｅＳＩＭが前記記憶手段に記憶されていることが確認され、且つ、当該ｅＳＩＭが不活性状態である場合に、当該不活性状態であるｅＳＩＭを前記活性状態とする切替コマンドの送信を要求する要求データを当該他の通信事業者に対して送信するように前記無線通信装置に要請する第１要請工程と、を含み、前記管理工程では、前記他の通信事業者から送信された前記切替コマンドを受信した場合に、前記一の通信事業者に対応するｅＳＩＭについて前記活性状態から前記不活性状態に切り替えるとともに、前記他の通信事業者に対応するｅＳＩＭについて前記不活性状態から前記活性状態に切り替えることを特徴とする。
【００１４】
請求項７に記載の発明は、無線通信装置に含まれ、且つ、通信事業者に対応するｅＳＩＭを記憶する記憶手段を備える通信制御機器が有するコンピュータを、前記記憶手段に記憶されているｅＳＩＭについて活性状態であるか又は不活性状態であるかを管理する管理手段、前記活性状態であるｅＳＩＭに対応する一の前記通信事業者と前記無線通信装置との通信が切断されたことを示す切断情報を当該無線通信装置から受信したことに基づいて、当該無線通信装置に対して通信の接続が可能な通信事業者に関する接続可能情報を要求する要求手段、前記無線通信装置から前記一の通信事業者とは異なる他の前記通信事業者との接続が可能であることを示す接続可能情報を受信したことに基づいて、当該他の通信事業者に対応するｅＳＩＭが前記記憶手段に記憶されているかを確認する確認手段、前記確認手段により前記他の通信事業者のｅＳＩＭが前記記憶手段に記憶されていることが確認され、且つ、当該ｅＳＩＭが不活性状態である場合に、当該不活性状態であるｅＳＩＭを前記活性状態とする切替コマンドの送信を要求する要求データを当該他の通信事業者に対して送信するように前記無線通信装置に要請する第１要請手段、として機能させる通信制御プログラムであって、前記管理手段は、前記他の通信事業者から送信された前記切替コマンドを受信した場合に、前記一の通信事業者に対応するｅＳＩＭについて前記活性状態から前記不活性状態に切り替えるとともに、前記他の通信事業者に対応するｅＳＩＭについて前記不活性状態から前記活性状態に切り替えることを特徴とする。
【００１５】
請求項８に記載の発明は、無線通信装置と、当該無線通信装置に含まれる通信制御機器とを有する通信システムであって、前記通信制御機器は、通信事業者に対応するｅＳＩＭを記憶する記憶手段と、前記記憶手段に記憶されているｅＳＩＭについて活性状態であるか又は不活性状態であるかを管理する管理手段を備え、前記無線通信装置は、前記活性状態であるｅＳＩＭに対応する一の前記通信事業者との通信が切断されたことを検知した場合に、当該一の通信事業者との通信が切断されたことを示す切断情報を前記通信制御機器に送信する切断情報送信手段を備え、前記通信制御機器は、前記無線通信装置から前記切断情報を受信したことに基づいて、当該無線通信装置に対して通信の接続が可能な通信事業者に関する接続可能情報を要求する要求手段を更に備え、前記無線通信装置は、前記要求に基づいて、通信の接続が可能な通信事業者を特定し、当該特定した通信事業者について接続が可能であることを示す接続可能情報を前記通信制御機器に送信する接続可能情報送信手段を更に備え、前記通信制御機器は、前記接続可能情報が前記一の通信事業者とは異なる他の前記通信事業者について通信の接続が可能であることを示している場合に、当該他の通信事業者に対応するｅＳＩＭが前記記憶手段に記憶されているかを確認する確認手段と、前記確認手段により前記他の通信事業者のｅＳＩＭが前記記憶手段に記憶されていることが確認され、且つ、当該ｅＳＩＭが不活性状態である場合に、当該不活性状態であるｅＳＩＭを前記活性状態とする切替コマンドの送信を要求する要求データを当該他の通信事業者に対して送信するように前記無線通信装置に要請する第１要請手段を更に備え、前記無線通信装置は、前記他の通信事業者に対して前記要求データを送信する要求データ送信手段と、前記他の通信事業者から前記切替コマンドを受信した場合に、当該切替コマンドを前記通信制御機器に転送する転送手段と、を更に備え、前記通信制御機器の前記管理手段は、前記他の通信事業者から送信された前記切替コマンドを受信した場合に、前記一の通信事業者に対応するｅＳＩＭについて前記活性状態から前記不活性状態に切り替えるとともに、前記他のｅＳＩＭについて前記不活性状態から前記活性状態に切り替えることを特徴とする。
【発明の効果】
【００１６】
本発明によれば、一の通信事業者に対応するｅＳＩＭが活性状態である場合において当該一の通信事業者との通信が切断された場合に、その時点で通信の接続が可能な他の通信事業者に対して、当該他の通信事業者に対応するｅＳＩＭを活性状態とする切替コマンドの送信を要求する要求データを送信し、当該他の通信事業者から切替コマンドを受信した場合に、一の通信事業者に対応するｅＳＩＭについて活性状態から不活性状態に切り替えるとともに、他の通信事業者に対応するｅＳＩＭについて不活性状態から活性状態に切り替えることから、一の通信事業者との通信が切断された場合に、他の通信事業者への切り替えを容易に実現することができる。
【図面の簡単な説明】
【００１７】
【図１】本実施形態に係る携帯端末１の概要構成例を示すブロック図である。
【図２】本実施形態に係るｅＵＩＣＣ１６に搭載されるＩＣチップＣの概要構成例を示すブロック図である。
【図３】本実施形態に係る制御モジュールとｅＳＩＭの関係の一例を示す図である。
【図４】本実施形態に係る携帯端末１とネットワークオペレータによる通信システムの概要構成例を示す図である。
【図５】本実施形態に係る携帯端末１とｅＵＩＣＣ１６とネットワークオペレータの通信切断時のシーケンス図の一例を示す図である。
【図６】変形例１に係る携帯端末１とｅＵＩＣＣ１６とネットワークオペレータの通信切断時のシーケンス図の一例を示す図である。
【図７】変形例２に係る携帯端末１とｅＵＩＣＣ１６とネットワークオペレータの通信切断時のシーケンス図の一例を示す図である。
【発明を実施するための形態】
【００１８】
以下、図面を参照して本発明の実施形態について詳細に説明する。以下に説明する実施形態は、携帯端末に備えられたｅＵＩＣＣに対して本発明を適用した場合の実施の形態である。
【００１９】
まず、図１等を参照して、本実施形態に係る携帯端末１の構成及び機能概要を説明する。
【００２０】
［１．携帯端末１の構成］
図１は、本実施形態に係る携帯端末１の概要構成例を示すブロック図である。図１に示すように、携帯端末１は、制御部１１、記憶部１２、無線通信部１３、表示部１４、入力部１５及びｅＵＩＣＣ１６等を備えて構成され、これらの構成要素はバス１７を介して相互に接続される。なお、携帯端末１は、例えば携帯電話機やスマートフォン、タブレット端末等である。
【００２１】
制御部１１は、ＣＰＵ（Central Processing Unit）、ＲＯＭ（Read Only Memory）、及びＲＡＭ（Random Access Memory）等により構成される。記憶部１２は、例えばフラッシュメモリ等の不揮発性メモリにより構成される。上記ＲＯＭまたは記憶部１２には、ＯＳ（Operating System）及びミドルウェアが記憶される。また、記憶部１２には、携帯端末１にインストールされたアプリケーションプログラム（「アプリケーション」）が記憶される。アプリケーションは、例えば所定のサーバからダウンロードすることができる。
【００２２】
無線通信部１３は、アンテナを有し、通信事業者の基地局との間で行われる無線通信に関する処理を担う。表示部１４は、例えばタッチパネル方式の表示パネルを有し、表示パネルへの表示制御、及びユーザからの操作指示の受け付けを行う。入力部１５は、ユーザからの操作指示を入力するための操作ボタンを有し、操作ボタンに応じた信号を制御部１１に出力する。ｅＵＩＣＣ１６は、複数のｅＳＩＭを記憶して管理し、複数の通信事業者との通信に関する制御を行う。
【００２３】
［２．ｅＵＩＣＣ１６の構成］
図２は、本実施形態に係るｅＵＩＣＣ１６に搭載されるＩＣチップＣの概要構成例を示すブロック図である。図２に示すように、ＩＣチップＣは、ＣＰＵ１６１、ＲＡＭ１６２、フラッシュメモリ１６３、及びＩ／Ｏ回路１６４等を備え、これらの構成要素はバス１６５を介して相互に接続される。
【００２４】
ＲＡＭ１６２には、例えばＯＳ、ミドルウェア、各種アプリケーションが機能するうえで一時的に必要となるデータが記憶される。
【００２５】
フラッシュメモリ１６３は、例えばＮＯＲ型フラッシュメモリであって、ＯＳ、ミドルウェア及びアプリケーション等を記憶する。また、フラッシュメモリ１６３は、ｅＵＩＣＣが制御モジュールとして動作するための通信制御プログラムや、通信プロファイル等を含むｅＳＩＭを記憶する。通信プロファイルは、通信に必要な情報（例えばＩＭＳＩ（International Mobile Subscriber Identity）、ＭＳＩＳＤＮ（Mobile Subscriber Integrated Services Digital Network Number）等）が記述されているファイル群である。
【００２６】
Ｉ／Ｏ回路１６４は、携帯端末１の他の構成部との通信を担う。
【００２７】
ＣＰＵ１６１は、通信制御プログラムを実行することによりｅＵＩＣＣを制御モジュールとして動作させる。
【００２８】
図３は、制御モジュールとｅＳＩＭの関係の一例を示す図である。なお、本実施形態では、ｅＵＩＣＣは、３つのｅＳＩＭ（ｅＳＩＭ（１）、ｅＳＩＭ（２）、ｅＳＩＭ（３））を記憶・管理・制御する。各ｅＳＩＭは、それぞれ通信事業者（「ネットワークオペレータ」という）に対応している。例えば、ｅＳＩＭ（１）はネットワークオペレータ（１）に対応し、ｅＳＩＭ（２）はネットワークオペレータ（２）に対応し、ｅＳＩＭ（３）はネットワークオペレータ（３）に対応する。制御モジュールは、各ｅＳＩＭがＡＣＴＩＶＥ状態であるか、又はＮＯＮ−ＡＣＴＩＶＥ状態であるかを示す状態情報を保持する。
【００２９】
図４に示すように、３つのｅＳＩＭ（ｅＳＩＭ（１）、ｅＳＩＭ（２）、ｅＳＩＭ（３））を記憶・管理・制御するｅＵＩＣＣを備える携帯端末１は、ネットワークオペレータ（１）、ネットワークオペレータ（２）、ネットワークオペレータ（３）と通信することができる。但し、携帯端末１は同時に複数のネットワークオペレータと通信することができず、原則、制御モジュールがＡＣＴＩＶＥ状態として管理するｅＳＩＭに対応するネットワークオペレータとのみ通信を行う。換言すれば、制御モジュールがＡＣＴＩＶＥ状態として管理するｅＳＩＭは一つだけであり、その他のｅＳＩＭはＮＯＮ−ＡＣＴＩＶＥ状態として管理される。なお、制御モジュールは、ネットワークオペレータが保有・管理するＳＭ（ＳＭ：Subscription Manager）サーバから送信された切替コマンドを受信した際に、ｅＳＩＭの状態を切り替えることができる。すなわち、制御モジュールは、ＳＭサーバからの切替コマンドを受信しなければ、ｅＳＩＭの状態を切り替えることができない。そこで、制御モジュールは、ｅＳＩＭの状態を切り替える必要が生じた場合（例えば、通信中のネットワークオペレータとの通信が切断した場合）には、ＳＭサーバに切替コマンドの送信を要求する。
【００３０】
［３．通信切断時の処理］
次に、図５を用いて、携帯端末１とネットワークオペレータ（１）との通信（ｅＳＩＭ（１）がＡＣＴＩＶＥ状態）が切断された場合に、携帯端末１とネットワークオペレータ（２）との通信を接続する際の処理例について説明する。
【００３１】
まず、携帯端末１の制御部１１は、ネットワークオペレータ（１）との通信が切断されたことを検知すると（ステップＳ１０１）、ネットワークオペレータ（１）との通信が切断したことを示す切断情報をｅＵＩＣＣ１６に通知する（ステップＳ１０２）。当該通知は、例えばEVENT_EVENT_DOWNLOAD_LOCATION_STATUSにより通知する。
【００３２】
ｅＵＩＣＣ１６の制御モジュール（ＣＰＵ１６１）は、当該通知を受信すると、その時点で接続可能なネットワークオペレータの情報を携帯端末１に要求する（ステップＳ１０３）。当該要求は、例えばProactive command(PROVIDELOCAL INFORMATION)により行う。
【００３３】
携帯端末１の制御部１１は、当該要求を受信すると、その時点で接続可能なネットワークオペレータを特定する。ここでは、制御部１１は、ネットワークオペレータ（２）と接続が可能であることを検知することとする（ステップＳ１０４）。次いで、制御部１１は、ネットワークオペレータ（２）と接続が可能であることを示す接続可能情報をｅＵＩＣＣ１６に通知する。当該通知は、例えばTERMINAL RESPONSEにより通知する。
【００３４】
ｅＵＩＣＣ１６の制御モジュール（ＣＰＵ１６１）は、当該通知を受信すると、ネットワークオペレータ（２）に対応するｅＳＩＭ（２）がｅＵＩＣＣ１６に存在するかを確認する（ステップＳ１０６）。この確認の方法は、任意の方法を採用することができる。例えば、（１）共通ファイルに各ｅＳＩＭのプロファイル情報を登録しておき、共通ファイルを用いて照合する方法や、（２）全てのｅＳＩＭのプロファイル情報に個別にアクセスして照合する方法や、（３）ＡＣＴＩＶＥ状態としたｅＳＩＭに全てのｅＳＩＭのプロファイル情報を格納しておき、ＡＣＴＩＶＥ状態としたｅＳＩＭにアクセスして照合する方法等を採用することができる。
【００３５】
制御モジュール（ＣＰＵ１６１）は、ｅＳＩＭ（２）がｅＵＩＣＣ１６に存在することを確認すると、次いで、ｅＳＩＭ（２）をＡＣＴＩＶＥ状態に切り替える切替コマンドの送信を要求する要求データをネットワークオペレータ（２）のＳＭサーバに対して送信するよう携帯端末１に要請する（ステップＳ１０７）。
【００３６】
携帯端末１の制御部１１は、当該要請を受信すると、ネットワークオペレータ（２）のＳＭサーバに対してｅＳＩＭ（２）をＡＣＴＩＶＥ状態に切り替える切替コマンドの送信を要求する要求データを送信する（ステップＳ１０８）。なお、当該要求データを送信する前に携帯端末１のユーザにｅＳＩＭを切り替えることを通知し、許可を得ることとしてもよい。また、当該要求データはＳＭサーバのＳＭ−ＳＲ（Subscription Manager Secure Routing）機能を用いて送信することとしてもよい。
【００３７】
当該要求データは、ローミングが可能な場合にはローミングを利用して送信することとしてもよい。具体的には、ｅＳＩＭ（１）のプロファイル情報に、例えば、ネットワークオペレータ（２）の通信設備を介してデータを送受信すること（ローミング）が許容されていることが記述されている場合には、ネットワークオペレータ（２）の通信設備を介して当該要求データを送信する。なお、ローミングを利用する場合はＳＭＳ（Short Message Service）により当該要求データを送信してもよい。また、当該要求データは、無線ＬＡＮ（Local Area Network）のアクセスポイントを介してインターネットに接続が可能な場合には無線ＬＡＮのアクセスポイントを介して送信することとしてもよい。なお、無線ＬＡＮを利用する場合はＨＴＴＰ（Hypertext Transfer Protocol）により当該要求データを送信してもよい。
【００３８】
ネットワークオペレータ（２）の装置は、当該要求データを受信すると、ＮＯＮ−ＡＣＴＩＶＥ状態にあるｅＳＩＭ（２）をＡＣＴＩＶＥ状態に切り替える切替コマンドを携帯端末１に送信する（ステップＳ１０９）。
【００３９】
携帯端末１の制御部１１は、切替コマンドを受信すると、これをｅＵＩＣＣ１６に転送する（ステップ１１０）。
【００４０】
ｅＵＩＣＣ１６の制御モジュール（ＣＰＵ１６１）は、切替コマンドを受信すると、ｅＳＩＭ（１）の状態をＡＣＴＩＶＥ状態からＮＯＮ−ＡＣＴＩＶＥ状態に切り替えるとともに、ｅＳＩＭ（２）の状態をＮＯＮ−ＡＣＴＩＶＥ状態からＡＣＴＩＶＥ状態に切り替える（ステップ１１１）。
【００４１】
図５には図示しないが、制御モジュール（ＣＰＵ１６１）は、ｅＳＩＭの状態を切り替えると、切り替えが完了したことを携帯端末１に通知する。これを受けて、携帯端末１の制御部１１は、ネットワークオペレータ（２）の装置との通信を接続する。
【００４２】
以上説明したように、本実施形態に係る携帯端末１（「無線通信装置」の一例）に含まれるｅＵＩＣＣ１６（「通信制御機器」の一例）のフラッシュメモリ１６３（「記憶手段」の一例）は、ネットワークオペレータに対応するｅＳＩＭを記憶し、ＣＰＵ１６１（「管理手段」、「要求手段」、「確認手段」、「第１要請手段」の一例）は、フラッシュメモリ１６３に記憶されているｅＳＩＭについてＡＣＴＩＶＥ（「活性」の一例）状態であるか又はＮＯＮ−ＡＣＴＩＶＥ（「不活性」の一例）状態であるかを管理し、ＡＣＴＩＶＥ状態であるｅＳＩＭ（１）に対応するネットワークオペレータ（１）（「一の通信事業者」の一例）と携帯端末１との通信が切断されたことを示す切断情報を携帯端末１から受信したことに基づいて、携帯端末１に対して通信の接続が可能なネットワークオペレータに関する接続可能情報を要求し、携帯端末１からネットワークオペレータ（２）（「他の通信事業者」の一例）との接続が可能であることを示す接続可能情報を受信したことに基づいて、ネットワークオペレータ（２）に対応するｅＳＩＭ（２）がフラッシュメモリ１６３に記憶されているかを確認し、ｅＳＩＭ（２）がフラッシュメモリ１６３に記憶されていることが確認され、且つ、ｅＳＩＭ（２）が不活性状態である場合に、当該不活性状態であるｅＳＩＭ（２）をＡＣＴＩＶＥ状態とする切替コマンドの送信を要求する要求データをネットワークオペレータ（２）のＳＭサーバに対して送信するように携帯端末１に要請し、切替コマンドを受信した場合に、ｅＳＩＭ（１）についてＡＣＴＩＶＥ状態からＮＯＮ−ＡＣＴＩＶＥ状態に切り替えるとともに、ｅＳＩＭ（２）についてＮＯＮ−ＡＣＴＩＶＥ状態からＡＣＴＩＶＥ状態に切り替える。
【００４３】
したがって本実施形態のｅＵＩＣＣ１６によれば、ｅＳＩＭ（１）がＡＣＴＩＶＥ状態である場合においてネットワークオペレータ（１）との通信が切断された場合に、その時点で通信の接続が可能なネットワークオペレータ（２）に対して、ｅＳＩＭ（２）をＡＣＴＩＶＥ状態とする切替コマンドの送信を要求する要求データを送信し、ネットワークオペレータ（２）から切替コマンドを受信した場合に、ｅＳＩＭ（１）についてＡＣＴＩＶＥ状態からＮＯＮ−ＡＣＴＩＶＥ状態に切り替えるとともに、ｅＳＩＭ（２）についてＮＯＮ−ＡＣＴＩＶＥ状態からＡＣＴＩＶＥ状態に切り替えることから、ネットワークオペレータ（１）との通信が切断された場合に、ネットワークオペレータ（２）への切り替えを容易に実現することができる。また、ｅＵＩＣＣ１６が動的に通信の切断を判断して、ｅＳＩＭの切り替えを要求するため、携帯端末１のユーザに負担をかけることなく、ネットワークオペレータ等が別の方法（位置情報など）を用いてｅＳＩＭの切り替えを判断するよりも素早く対応することができる。
【００４４】
また、本実施形態に係る携帯端末１の制御部１１は、ネットワークオペレータ（２）に対して要求データを送信する際に、ネットワークオペレータ（１）と提携しているネットワークオペレータ（２）の通信設備を介して、要求データを送信することとしてもよい。具体的には、携帯端末１の制御部１１は、ｅＳＩＭ（１）にネットワークオペレータ（２）の通信設備の利用が許容されていることを示す許容情報が記述されている場合に、ネットワークオペレータ（２）の通信設備を介して、要求データを送信することとしてもよい。これにより、携帯端末１とネットワークオペレータ（１）との通信が切断されている場合であっても、要求データを送信することができる。
【００４５】
また、本実施形態に係る携帯端末１の制御部１１は、ネットワークオペレータ（２）に対して要求データを送信する際に、無線ＬＡＮのアクセスポイントを介して、要求データを送信することとしてもよい。これにより、携帯端末１とネットワークオペレータ（１）との通信が切断されている場合であっても、要求データを送信することができる。
【００４６】
［４．変形例］
次に、上記実施形態の変形例について説明する。なお、以下に説明する変形例は適宜組み合わせることができる。
【００４７】
［４．１．変形例１］
上記実施形態では、ｅＳＩＭ（１）を使用してネットワークオペレータ（１）と通信している場合において通信の接続が切断された際に、その時点で通信の接続が可能なネットワークオペレータ（２）に対応するｅＳＩＭ（２）を使用してネットワークオペレータ（２）との通信を接続する実施形態について説明したが、ネットワークオペレータ（１）との通信の接続が切断された際に、ネットワークオペレータ（２）及びネットワークオペレータ（３）と通信の接続が可能な場合の変形例１について説明する。
【００４８】
変形例１では、ｅＵＩＣＣ１６の制御モジュールがネットワークオペレータ（ｅＳＩＭ）毎に接続に関する優先順位である接続優先順位を管理することとする。接続優先順位は、携帯端末１のユーザにより設定されることとしてもよいし、ユーザ等が設定した所定の規則に従って制御モジュールにより設定されることとしてもよい。例えば、通信料金の安価なネットワークオペレータほど接続優先順位を高くしてもよいし、電波強度が強いネットワークオペレータほど接続優先順位を高くしてもよい（この場合、電波強度の順位が切り替わる度に接続優先順位も切り替わる）。
【００４９】
ここで、図６を用いて、変形例１における携帯端末１とネットワークオペレータ（１）との通信（ｅＳＩＭ（１）がＡＣＴＩＶＥ状態）が切断された場合に、携帯端末１と他のネットワークオペレータとの通信を接続する際の処理例について説明する。なお、図６は図５とほぼ同様であるので、ここでは変更部分を中心に説明する。また、接続優先順位は、１位がｅＳＩＭ（１）、２位がｅＳＩＭ（２）、３位がｅＳＩＭ（３）であるとする。
【００５０】
携帯端末１の制御部１１は、ステップＳ１０３により、ｅＵＩＣＣ１６からその時点で接続可能なネットワークオペレータの情報について要求があった場合に、その時点で接続可能なネットワークオペレータを検知する。ここでは、ネットワークオペレータ（２）及びネットワークオペレータ（３）が接続可能であることを検知したとする（ステップＳ１０４Ａ）。
【００５１】
次に、携帯端末１の制御部１１は、ネットワークオペレータ（２）及びネットワークオペレータ（３）と接続が可能であることを示す接続可能情報をｅＵＩＣＣ１６に通知する（ステップＳ１０５Ａ）。
【００５２】
ｅＵＩＣＣ１６の制御モジュール（ＣＰＵ１６１）は、当該通知を受信すると、ネットワークオペレータ（２）に対応するｅＳＩＭ（２）と、ネットワークオペレータ（３）に対応するｅＳＩＭ（３）がｅＵＩＣＣ１６に存在するかを確認し、優先順位の高いｅＳＩＭを選択する（ステップＳ１０６Ａ）。ここでは、ｅＳＩＭ（２）及びｅＳＩＭ（３）が存在し、且つ、優先順位はｅＳＩＭ（２）の方がｅＳＩＭ（３）より高いのでｅＳＩＭ（２）を選択する。
【００５３】
次いで、ｅＵＩＣＣ１６の制御モジュール（ＣＰＵ１６１）は、ステップＳ１０６Ａで選択したｅＳＩＭ（２）をＡＣＴＩＶＥ状態に切り替える切替コマンドの送信を要求する要求データをネットワークオペレータ（２）のＳＭサーバに対して送信するよう携帯端末１に要請する（ステップＳ１０７Ａ）。
【００５４】
これ以降の流れは、図５のステップＳ１０８以降と同様であるので、説明を省略する。
【００５５】
ここで、ネットワークオペレータ（２）との接続後に関する２つのケースについて説明する。
【００５６】
まず、一つ目のケースについて説明する。携帯端末１がネットワークオペレータ（２）と接続している際に当該接続が切断されたケースでは、その時点でネットワークオペレータ（１）及びネットワークオペレータ（３）と接続可能であれば、より優先順位の高いｅＳＩＭ（１）をＡＣＴＩＶＥ状態に切り替えて、ネットワークオペレータ（１）と接続することとする。一方、切断された時点でネットワークオペレータ（１）とは接続不可能であり、ネットワークオペレータ（３）と接続可能であれば、ｅＳＩＭ（３）をＡＣＴＩＶＥ状態に切り替えて、ネットワークオペレータ（３）と接続することとする。
【００５７】
次に、二つ目のケースについて説明する。携帯端末１がネットワークオペレータ（２）と接続中に、例えば、ネットワークオペレータ（２）より接続優先順位の高いネットワークオペレータ（１）の通信圏内に再び入ったことにより、ネットワークオペレータ（１）と接続可能であることを検知したケースでは、ｅＳＩＭ（１）をＡＣＴＩＶＥ状態に切り替えて、ネットワークオペレータ（１）と接続することとする。
【００５８】
上記の２つのケースより、ネットワークオペレータ（ｅＳＩＭ）を切り替える契機は、通信の切断を検知することと、その時点で接続中のネットワークオペレータより接続優先順位の高いネットワークオペレータとの通信の接続が可能になったことを検知することが例として挙げられる。何れの契機であっても、ネットワークオペレータ（１）〜（３）の何れかのネットワークオペレータと接続可能な状況が継続する限り、何れかのネットワークオペレータとの通信の接続を担保することができる。また、後者の場合であれば、常時、その時点で接続が可能なネットワークオペレータのうち接続優先順位の高いネットワークオペレータとの接続を担保することができる。
【００５９】
［４．２．変形例２］
上記実施形態では、ネットワークオペレータ（１）との通信が切断され、ネットワークオペレータ（２）との通信の接続が可能であること通知されたときにおいて、フラッシュメモリ１６３にｅＳＩＭ（２）が記憶されている場合について説明したが、変形例２では、フラッシュメモリ１６３にｅＳＩＭ（２）が記憶されていない場合について説明する。
【００６０】
図７を用いて変形例２について説明する。なお、図７におけるステップＳ１０１からステップＳ１０６までは、図５と同様であるため説明を省略する。また、変形例２では、ステップＳ１０６の後にステップＳ１０６−１からステップＳ１０６−５が行われる点で上記実施形態（図５）と異なる。更に、ステップＳ１０６−５の後は図５のステップＳ１０７以降の流れと同様であるため説明を省略する。
【００６１】
図７のステップＳ１０６において、ｅＵＩＣＣ１６の制御モジュール（ＣＰＵ１６１）は、ネットワークオペレータ（２）に対応するｅＳＩＭ（２）がｅＵＩＣＣ１６に存在するか否かを確認し、存在しないことを確認した場合に、ｅＳＩＭ（２）を作成する作成コマンドの送信を要求する要求データをネットワークオペレータ（２）のＳＭサーバに対して送信するよう携帯端末１に要請する（ステップＳ１０６−１）。
【００６２】
携帯端末１の制御部１１は、当該要請を受信すると、ネットワークオペレータ（２）のＳＭサーバに対してｅＳＩＭ（２）の作成コマンドの送信を要求する要求データを送信する（ステップＳ１０６−２）。なお、当該要求データを送信する前に携帯端末１のユーザにｅＳＩＭを作成することを通知し、許可を得ることとしてもよい。また、当該要求データはＳＭサーバのＳＭ−ＳＲ機能を用いて送信することとしてもよい。
【００６３】
なお、上記実施形態において説明したように、当該要求データは、ローミングが可能な場合にはローミングを利用して送信することとしてもよいし、無線ＬＡＮのアクセスポイントを介してインターネットに接続が可能な場合には無線ＬＡＮのアクセスポイントを介して送信することとしてもよい。
【００６４】
ネットワークオペレータ（２）の装置は、当該要求データを受信すると、ｅＳＩＭ（２）の作成コマンドを携帯端末１に送信する（ステップＳ１０６−３）。なお、作成コマンドには、ｅＳＩＭ（２）を作成するために必要なデータ（ｅＳＩＭ（２）本体やその他のデータ）が含まれる。
【００６５】
携帯端末１の制御部１１は、作成コマンドを受信すると、これをｅＵＩＣＣ１６に転送する（ステップ１０６−４）。
【００６６】
ｅＵＩＣＣ１６の制御モジュール（ＣＰＵ１６１）は、作成コマンドを受信すると、ｅＳＩＭ（２）を作成してフラッシュメモリ１６３に記憶させる（ステップ１６０−５）。また、制御モジュール（ＣＰＵ１６１）は、作成したｅＳＩＭ（２）をＮＯＮ−ＡＣＴＩＶＥ状態とする。
【００６７】
図７のステップＳ１６０−５の終了後の流れは、図５のステップＳ１０７以降の流れと同様である。
【００６８】
以上説明したように、変形例２に係る携帯端末１に含まれるｅＵＩＣＣ１６のＣＰＵ１６１（「第２要請手段」、「作成手段」の一例）は、ネットワークオペレータ（２）との接続が切断され、ネットワークオペレータ（２）との接続が可能であるとの通知があったときにおいて、ｅＳＩＭ（２）がフラッシュメモリ１６３に記憶されていないことを確認した場合、ｅＳＩＭ（２）をフラッシュメモリ１６３に記憶させる作成コマンドの送信を要求する要求データをネットワークオペレータ（２）に対して送信するように携帯端末１に要請し、ネットワークオペレータ（２）から送信された作成コマンドを受信した場合に、ｅＳＩＭ（２）をフラッシュメモリ１６３に記憶させるとともに、ｅＳＩＭ（２）をＮＯＮ−ＡＣＴＩＶＥ状態として管理し、次いで、ｅＳＩＭ（２）をＡＣＴＩＶＥ状態とする切替コマンドの送信を要求する要求データをネットワークオペレータ（２）に対して送信するように携帯端末１に要請し、ネットワークオペレータ（２）から送信された切替コマンドを受信した場合に、ｅＳＩＭ（２）についてＡＣＴＩＶＥ状態からＮＯＮ−ＡＣＴＩＶＥ状態に切り替えるとともに、ｅＳＩＭ（２）についてＮＯＮ−ＡＣＴＩＶＥ状態からＡＣＴＩＶＥ状態に切り替える。
【００６９】
すなわち、ｅＵＩＣＣ１６の制御モジュール（ＣＰＵ１６１）は、ネットワークオペレータ（１）との通信が切断され、ネットワークオペレータ（２）との通信の接続が可能であること通知されたときにおいて、フラッシュメモリ１６３にｅＳＩＭ（２）が記憶されている場合には、ｅＳＩＭ（２）への切替コマンドの送信要求をネットワークオペレータ（２）に対して行う一方、フラッシュメモリ１６３にｅＳＩＭ（２）が記憶されていない場合には、ｅＳＩＭ（２）の作成コマンドの送信要求をネットワークオペレータ（２）に対して行い、ｅＳＩＭ（２）の作成（ＮＯＮ−ＡＣＴＩＶＥ状態とすることを含む）が完了した後に、ｅＳＩＭ（２）への切替コマンドの送信要求をネットワークオペレータ（２）に対して行う。
【００７０】
したがって、変形例２におけるｅＵＩＣＣ１６によれば、あるネットワークオペレータとの通信が切断された際に、通信が可能な他のネットワークオペレータに対応するｅＳＩＭがフラッシュメモリ１６３に記憶されていない場合であっても、当該ｅＳＩＭがフラッシュメモリ１６３に記憶されるとともにＮＯＮ−ＡＣＴＩＶＥ状態に管理されることから、当該他のネットワークオペレータに対応するｅＳＩＭをＡＣＴＩＶＥ状態とする切替コマンドを当該ネットワークオペレータに送信してもらうことにより、当該ネットワークオペレータとの通信が可能となる。
【符号の説明】
【００７１】
１  携帯端末
１１  制御部
１２  記憶部
１３  無線通信部
１４  表示部
１５  入力部
１６  ｅＵＩＣＣ
１６１  ＣＰＵ
１６２  ＲＡＭ
１６３  フラッシュメモリ
１６４  Ｉ／Ｏ回路
【図１】
2020136730.tif 000003
【図２】
2020136730.tif 000004
【図３】
2020136730.tif 000005
【図４】
2020136730.tif 000006
【図５】
2020136730.tif 000007
【図６】
2020136730.tif 000008
【図７】
2020136730.tif 000009